(57)【要約】【課題】工作性がよく、外観がよく、コーナーの形状を任意にして多種多様な空間に対応可能な器具ケースを有する照明器具を提供する。【解決手段】照明器具の器具ケース１は、本体器具２と器具端板３及びコーナージョイント４からなり、本体器具は天板２ａを有し、本体器具２と器具端板３の側板は、開口側に各々折曲部２ｄ、３ｄを有し、折曲部２ｄ、３ｄの内側に溝部２ｅ、３ｅを有するように折曲げて形成された内側板２ｂ、３ｂ及び外側板２ｃ、３ｃからなり、外側板２ｃ、３ｃの端部の内側にカール部７を備え、コーナージョイント４は、外側板２ｃ、３ｃの突合せ端部のカール部７と溝２ｅ、３ｅの間に各々挿入される端部４ｂと、カール部７に挿入される側の各々の端部４ｂに設けられ、外側板２ｃ、３ｃのカール部７に設けられた係止片６が係止する切欠き部５を備える。【選択図】        図２
2004185846.tif 000002
【特許請求の範囲】
【請求項１】
天板と側板からなる器具ケースを有する照明器具において、前記器具ケースの前記側板は、開口側に折曲部を有し、前記折曲部の内側に溝部を有するように折曲げて形成された内側板及び外側板と、
外側板の端部の内側に設けられたカール部と、を備え、
前記側板の隣接する突合せ端部の前記カール部と前記溝部の間に各々端部が挿入されるＬ字状のコーナージョイントと、
このコーナージョイントの両端部と前記側板の前記突合せ端部を係合する係合手段と、
を備えたことを特徴とする照明器具。
【請求項２】
係合部は、コーナージョイントの、カール部に挿入される側の各々の端部に設けられた切欠き部と、側板端部のカール部に形成した係止片からなり、
前記コーナージョイントの端部を前記側板の前記突合せ端部に挿入し、前記切欠き部に、前記係止片を挿入して係止させることを特徴とする請求項１記載の照明器具。
【請求項３】
係合部は、コーナージョイントの、カール部に挿入される側の各々の端部に設けられた凸部と、側板突合せ端部のカール部に形成した係止穴からなり、
前記コーナージョイントの端部を前記側板の突合せ端部に挿入し、前記係止穴に、前記凸部を挿入して係止させることを特徴とする請求項１記載の照明器具。
【請求項４】
溝部底部を平面とし、コーナージョイントの断面形状をＬ字形状とし、長片側をカール部に沿って、短片側を前記溝部底部に沿って挿入したことを特徴とする請求項２または３記載の照明器具。
【請求項５】
コーナージョイントは側板の突合せ端部への挿入部と挿入されない露出部を備え、露出部の外面と挿入部外面に段差を設け、前記露出部外面と前記側板の外面とが同一面となるようにしたことを特徴とする請求項１〜４のいずれかに記載の照明器具。
【請求項６】
各コーナージョイントのコーナー部の開口側に設けられた凸状または凹状の係合部と、
前記各コーナー部の天板側に設けられ、開口側に設けられた前記凸状または凹状の係合部と各々係合可能な形状の凹状または凸状の係合部と、
を備えたことを特徴とする請求項１〜５のいずれかに記載の照明器具。
【請求項７】
コーナージョイントを樹脂成形品としたことを特徴とする請求項１〜６のいずれかに記載の照明器具。
【発明の詳細な説明】
【０００１】
【発明の属する技術分野】
この発明は、器具ケースの組立を改良した照明器具に係り、特に、器具ケースの側板の突合せ端部の接続を改良した照明器具に関する。
【０００２】
【従来の技術】
照明器具の反射体において、複数の反射面を有する反射面部とこの反射面部の両側縁に上方に立ち上がった立ち上がり部とを有する樋状の反射板部を設け、反射面部の長手方向両端部に、反射板部の長手方向両端部を覆う複数個の折曲側板片と、折曲側板片同志の対向縁部に位置して互いに面接合の状態で固着される固着片と、折曲側板片の立ち上がり部への対向縁部に位置して立ち上がり部の内周面に内接状態で固定される係合片とをそれぞれ一体形成するようにしている。
（例えば特許文献１）。
【０００３】
【特許文献１】
特公平７−５０５６２号公報（第１−２頁、第１図、第２図）
【０００４】
【発明が解決しようとする課題】
しかしながら、上記の従来の照明器具の反射体では、部品点数が低減するものの、側板の突き合わせ端部の切断面が外面にでることや、隙間が若干生じやすく、また、側板のリベット止め部分もあり、外観が損なわれるという問題があった。
また、従来の照明器具の器具ケースの側板も同様に、スポット溶接等で固定する場合が多く、工作性が悪く、スポット跡がのこり、また、側板の突き合わせ端部の切断面が外面にでることや、隙間が生じやすく外観が損なわれるという問題があった。
また、搬送や施工時に照明器具の器具ケースのコーナーが、物に当たった場合、凹んだり、キズができ、そこから、錆び易いという問題があった。
また、コーナーの形状が工作上、角形に限られる場合が多く、曲面など任意の形状にしにくく、多種多様な空間に対応しにくいという問題があった。
【０００５】
この発明は上記のような問題点を解消するためになされたもので、工作性がよく、外観がよく、コーナーの形状を任意にして多種多様な空間に対応可能な器具ケースを有する照明器具を提供することを目的とする。
【０００６】
【課題を解決するための手段】
この発明に係る照明器具は、天板と側板からなる器具ケースを有する照明器具において、前記器具ケースの前記側板は、開口側に折曲部を有し、前記折曲部の内側に溝部を有するように折曲げて形成された内側板及び外側板と、外側板の端部の内側に設けられたカール部と、を備え、前記側板の隣接する突合せ端部の前記カール部と前記溝部の間に各々端部が挿入されるＬ字状のコーナージョイントと、このコーナージョイントの両端部と前記側板の前記突合せ端部を係合する係合手段と、を備えるものである。
【０００７】
【発明の実施の形態】
実施の形態１．
図１は実施の形態１を示す照明器具の斜視図、図２は実施の形態１を示す照明器具の器具ケースの要部分解斜視図、図３は照明器具の器具ケースのコーナージョイントの平面及び側面図、図４は器具ケースの要部平面図である。
図１において、照明器具は、器具ケース本体２と、器具端板３、コーナージョイント４から構成された器具ケースを備えている。なお、器具本体２の開口側が反射板を兼ねている。
【０００８】
図２において、器具ケース本体２は、断面が略コの字形状であり、天板２ａ、天板の両端部に設けられ、開口側に折曲部２ｄを有し、折曲部２ｄの内側に溝部２ｅを有するように折曲げて形成された内側板２ｂ及び外側板２ｃから構成され、外側板２ｃの端部の内側にカール部７を設け、カール部７の両端部に係止片６が設けられている。なお、天板２ａ、両側の内側板２ｂ及び外側板２ｃは一体に成形されている。
【０００９】
器具端板３は、器具ケース本体２の天板２ａに取り付けられる天板取付部３ａ、天板取付部３ａから開口側に折り曲げられ、開口側に折曲部３ｄを有し、折曲部３ｄの内側に溝部３ｅを有するように折曲げて形成された内側板３ｂ及び外側板３ｃから構成され、外側板３ｃの端部の内側にカール部７を設け、カール部７の両端部に係止片６が設けられている。
なお、器具ケース本体２及び器具端板３の各々の溝部２ｅ、３ｅは底部が平面である。
【００１０】
図２、図３においてコーナージョイント４は、平面形状及び側面形状略Ｌ字形状とし、長片側は、コーナー部４ａ、器具ケース本体２の外側板２ｃの突合せ端部のカール部７の間に挿入される一方の端部４ｂ、器具端板３の外側板３ｃの突合せ端部のカール部７の間に挿入される他方の端部４ｂ、カール部７に挿入される側の各々の端部４ｂに設けられ、器具ケース本体２、器具端板３の各々の外側板２ｃ、３ｃの突合せ端部のカール部７に形成した係止片６に係止される切欠き部５から構成され、短片側は、コーナー部４ａ、端部４ｂの各々の開口側であり、器具ケース本体２、器具端板３の各々の溝２ｅ、３ｅに沿って挿入される曲部４ｃである。
【００１１】
なお、コーナージョイント４は樹脂成形品であり、コーナー部４ａの外面と端部４ｂに段差を設け、コーナー部４ａの外側に露出する面と器具本体２と器具端板３の各々の外側板２ｃ、３ｃの外面とが同一面となるようにしている。
また、組立て易いように、端部４ｂと曲部４ｃの角部を円弧にしている。
【００１２】
次に、器具ケースの組立について図１、図２、図４により説明する。まず、コーナージョイント４を器具端板３の両端の外側板３ｃの突合せ端部のカール部７の間にコーナージョイント４の端部４ｂが、外側板３ｃの突合せ端部の溝部３ｄにコーナージョイント４の曲部４ｃが沿うようにして挿入する。
そして、器具端板３のカール部７に設けられた係止片６を、コーナージョイント４に設けられた切欠き部５に押し込んで係止させ、コーナージョイント４を器具端板３に取付ける。
【００１３】
次に、器具本体２の両側にコーナージョイント４を取り付けた器具端板３を取り付ける。まず、器具端板３の両端に取り付けたコーナージョイント４を器具本体２の外側板２ｃの突合せ端部の一方のカール部７の間にコーナージョイント４の端部４ｂが、外側板２ｃの突合せ端部の溝部２ｄにコーナージョイント４の曲部４ｃが沿うようにして挿入する。そして、器具端板３のカール部７に設けられた係止片６を、コーナージョイント４に設けられた切欠き部５に押し込んでコーナージョイント４を器具本体２に係止させる。次に、同様にして、器具端板３を器具本体２の外側板２ｃの突合せ端部の他方に取付ける。
【００１４】
次に、器具本体２の天板２ａに、器具端板３の天板取付部３ａをポップリベット１７等で固定する。
【００１５】
以上のように、器具本体２と器具端部３の組み立てを、器具本体２と器具端板３のカール部７に設けられた係止片６を、コーナージョイント４に設けられた切欠き部５に押し込んで行うので、溶接等も不要であり、スポット溶接後の仕上げも必要でなく、工作性を向上させることができる。
また、コーナージョイント４を樹脂成形品としたので、コーナーの形状や色を任意にすることができ、多種多様な空間に対応可能とすることができる。
また、鋼板同志によるキズもなくなり、錆び等も生じなくすることができる。
【００１６】
また、器具本体２、器具端板３の各々の溝部２ｄ、３ｄの底部を平面とし、コーナージョイント４の断面Ｌ字形状の短片側を溝部２ｄ、３ｄの底部に沿って挿入したので、ガタツキが生じないように固定することができる。
また、コーナージョイント４のコーナー部４ａの露出する外面と端部４ｂに段差を設け、コーナー部４ａの外側に露出する面と器具本体２と器具端板３の各々の外側板２ｃ、３ｃの外面とが同一面となるようにしたので、器具本体２と器具端板３の外面とコーナージョイント４の外面とが同一になり、また、器具本体２と器具端板３の端部の切断面が見えず、外観を向上させることができる。
【００１７】
なお、本実施の形態では、コーナージョイント４に段差のあるコーナー部４ａ、端部４ｂ、張り出し部４ｃを設け、器具本体２、器具端部３の各々の溝部２ｅ、３ｅに平面部を設けたが、器具の設置条件により、図５に示すように、段差のないコーナージョイント４、器具本体２、器具端部３の各々に平面部のない溝部２ｆ、３ｆとしてもよい。
【００１８】
実施の形態２．
図６は実施の形態２を示す照明器具の器具ケースの要部分解斜視図、図７は器具ケースのコーナージョイントの要部断面図である。
【００１９】
本実施の形態は、器具ケース本体２と器具端板３のカール部７の両端部に、各々係止穴１２を設け、コーナージョイント４の両端部４ｂのカール部７の間に挿入される側に、器具ケース本体２と器具端板３のカール部７に各々設けられた係止穴１２に係止される凸部１１を設けたものであり、他の構成及び組み立ては実施の形態１と同じであり説明を省略する。
【００２０】
この構成において、実施の形態１と同様な効果を得ることができる。
【００２１】
実施の形態３．
図８は実施の形態３を示す照明器具の器具ケースのコーナージョイントの斜視図、図９は図６のコーナージョイントを用いた照明器具の搬送状態を示す図である。  図８において、実施の形態１の図２と同じ部分には同一符号を付し説明を省略する。図８（ａ）に示すようにコーナージョイント４のコーナー部４ａの天板側に凸状の係合部１５を設け、図８（ｂ）に示すように、コーナージョイント４のコーナー部４ａの開口側に、コーナー部４ａの天板側に設けた凸状の係合部１５に係合可能な凹状の係合部１６を設けた。
【００２２】
この構成のコーナージョイント４を使用して、実施の形態１と同様に組み立てた器具ケース１を搬送する場合、図９のように、コーナージョイント４の係合部１５、１６を係合させて積み重ねることができる。
なお、この係合部１５、１６を係合させて複数の器具ケース１を重ねたときに、器具ケース１同志が接触しないように係合部１５、１６の形状を定めている。
【００２３】
以上のように、器具ケース１または、器具ケース１を備えた照明器具を搬送するときに、コーナージョイント４の係合部１５、１６を係合させて積み重ねることができ、器具同志がぶつかり合うこともないので、梱包なしでも搬送することができる。
【００２４】
なお、本実施の形態では、コーナージョイント４のコーナー部４ａの天板側に凸状の係合部１５を設け、コーナー部４ａの開口側に、天板側に設けた凸状の係合部１５に係合する凹状の係合部１６を設けたが、コーナージョイント４のコーナー部４ａの天板側に凹状の係合部１６を設け、コーナー部４ａの開口側に、天板側に設けた凹状の係合部１６に係合可能な凸状の係合部１５を設けてもよい。この場合、開口面を下にして、作業台に置いても凸状の係合部１５により、器具にキズがつかないようにすることができる。
【００２５】
【発明の効果】
以上のように、この発明によれば、天板と側板からなる器具ケースを有する照明器具において、前記器具ケースの前記側板は、開口側に折曲部を有し、前記折曲部の内側に溝部を有するように折曲げて形成された内側板及び外側板と、外側板の端部の内側に設けられたカール部と、を備え、前記側板の隣接する突合せ端部の前記カール部と前記溝部の間に各々端部が挿入されるＬ字状のコーナージョイントと、このコーナージョイントの両端部と前記側板の前記突合せ端部を係合する係合手段と、を備えたので、工作性がよく、外観がよく、コーナーの形状を任意にして多種多様な空間に対応可能にすることができる。
【図面の簡単な説明】
【図１】この発明の実施の形態１を示す照明器具の斜視図である。
【図２】この発明の実施の形態１を示す照明器具の器具ケースの要部分解斜視図である。
【図３】この発明の実施の形態１を示す照明器具の器具ケースのコーナージョイントの平面及び側面図である。
【図４】この発明の実施の形態１を示す照明器具の器具ケースの要部平面図である。
【図５】この発明の実施の形態１を示す照明器具の器具ケースの要部分解斜視図である。
【図６】この発明の実施の形態２を示す照明器具の器具ケースの要部分解斜視図である。
【図７】この発明の実施の形態２を示す照明器具の器具ケースのコーナージョイントの要部断面図である。
【図８】この発明の実施の形態３を示す照明器具の器具ケースのコーナージョイントの斜視図である。
【図９】この発明の実施の形態３を示す照明器具の器具ケースの搬送状態の説明図である。
【符号の説明】
１  器具ケース、２  器具ケース本体、２ａ、３ａ  天板、２ｅ、２ｆ、３ｅ、３ｆ  溝部  ２ｂ、３ｂ  内側板、２ｃ、３ｃ  外側板、２ｄ、３ｄ  折曲部、３  器具端板、４  コーナージョイント、４ａ  コーナー部、４ｂ  端部、４ｃ  曲部、５  切欠き部、６  係止片、７  カール部、１１  凸部  １２、係止穴、１５、１６  係合部。
【図１】
2004185846.tif 000003
【図２】
2004185846.tif 000004
【図３】
2004185846.tif 000005
【図４】
2004185846.tif 000006
【図５】
2004185846.tif 000007
【図６】
2004185846.tif 000008
【図７】
2004185846.tif 000009
【図８】
2004185846.tif 000010
【図９】
2004185846.tif 000011